(57)【要約】      （修正有）【課題】簡易な構成で短小の被挟持物を確実に挟持可能な挟持具を提供する。【解決手段】挟持具１は、全体形状が略左右対称Ｖ字状で先端側に一対の弾性の挟持片１０、１１を備えている。一方側挟持面１０ａが平面であり、他方側挟持面１１ａが前記平面に面対称に形成した対向平面の後端側を切り欠いた縮小平面であり、該一方側挟持面１０ａと該他方側挟持面１１ａとで被挟持物を挟持する。前記他方側挟持面１１ａは、前記一方側挟持面１０ａに対して、先端方向の長さが１／３〜１／５であることが好ましい。突起１１ｈと一方側挟持面１０ａとで被挟持物を挟持することもできる。【選択図】図２
2017192458.tif 000002
【特許請求の範囲】
【請求項１】
全体形状が略左右対称Ｖ字状で先端側に一対の弾性の挟持片を備えた挟持具であって、一方側挟持面が平面であり、他方側挟持面が前記平面に面対称に形成した対向平面の後端側を切り欠いた縮小平面であり、該一方側挟持面と該他方側挟持面とで被挟持物を挟持することを特徴とする挟持具。
【請求項２】
前記他方側挟持面は、前記一方側挟持面に対して、先端方向の長さが１／３〜１／５である請求項１に記載の挟持具。
【請求項３】
全体形状が略左右対称Ｖ字状で、先端側に一対の弾性の挟持片を備えた挟持具であって、一方側挟持面が平面であり、他方側挟持面が前記一方側挟持面に対向した面に突起を設け、該突起と該一方側挟持面とで被挟持物を挟持することを特徴とする挟持具。
【請求項４】
前記突起は、挟持によりしなる方向に直交する線状の突起である請求項３に記載の挟持具。
【請求項５】
前記一方側挟持面が対称面に対して右斜め又は左斜めに傾いでいる請求項３又は４に記載の挟持具。
【請求項６】
全体形状が略左右対称Ｖ字状で、先端側に一対の弾性の挟持片を備えた挟持具であって、一方側挟持面が対称面に対して湾曲凹面又は湾曲凸面を形成し、他方側挟持面が前記一方側挟持面に対向した面に突起を設け、該突起と該一方側挟持面とで被挟持物を挟持することを特徴とする挟持具。
【請求項７】
前記挟持具が、毛抜き、とげ抜き又は魚の小骨抜きである請求項１乃至６のうちのいずれか１項に記載の挟持具。
【発明の詳細な説明】
【技術分野】
【０００１】
本発明は、挟持具に関する。更に詳しくは、短小の被挟持物を確実に挟持可能な挟持具に関する。
【背景技術】
【０００２】
従来、短小の被挟持物を挟持する道具として、例えば、毛抜き、とげ抜きがある。図８（ａ）に示す挟持具としての毛抜き９は、全体形状が左右対称Ｖ字状で先端側に一対の弾性の挟持片１０、１０を備えており、対向した平面からなる両挟持面１０ａ、１０ａを有する。
この場合、軽く挟持すれば、図８（ｂ）に示すように、両挟持面同士が全面で接触する。しかし、被挟持物を挟持するためには、ある程度の力を入れる必要があり、図８（ｃ）に示すように、挟持により挟持面下端１０ｋ同士が押圧することで、しなりにより先端が開き、挟持する力は、下端部が最大で、先端ほど小さくなる。
図９（ａ）に示すように被挟持物９３が長尺で挟持面１０ａの長さを超える場合には、下端部で強く押圧挟持できるが、図９（ｂ）に示すように被挟持物９３が短小で挟持面１０ａの長さ以下の場合には十分な挟持する力が得られない。更に、図８（ｃ）に示すように、皮膚９７から突出している短小の毛９５の場合には、しなりにより挟持することができない場合が生ずる。
しなりによる先端が開くのを防ぐため、図１０に示す挟持具１３は、挟持面９０ａ、９０ａが小さく形成されている。挟持に伴うしなりによっては、先端が開く度合いは小さいが、図１０（ａ）に示すように、挟持によるしなりによって挟持面同士がズレやすく確実に挟持するには問題がある。更に、挟持の強さのよっては、（ｂ）に示すように、挟持面同士が外れてしまうおそれがある。
【０００３】
ここで、挟持面に細かな凹凸ラインを設けた毛抜きが提案されている（例えば、特許文献１参照。）。
この特許文献１に記載の毛抜きによれば、複数の凹凸ラインにより形成されたやや広い面に亘って、毛を滑らないように挟持することができる。この挟持具であれば、複数の凹凸ラインによりある程度長尺の毛を挟持するのに適している。
【先行技術文献】
【特許文献】
【０００４】
【特許文献１】実登３１７８０５３号公報
【発明の開示】
【発明が解決しようとする課題】
【０００５】
しかし、特許文献１の挟持具では、複数の凹凸ラインがあるため、長尺の毛を広範囲に挟持する効果がある一方、個々の凸、凹にかかる押圧力はそれだけ弱まり、全体としての挟持力は弱くなる。そのため、短小の毛を強力に挟持するには適していない。
【０００６】
本発明は、前記従来の問題を解決するものであり、簡易な構成で短小の被挟持物を確実に挟持可能な挟持具を提供することを目的としている。
【課題を解決するための手段】
【０００７】
本発明は、以下の通りである。
１．全体形状が略左右対称Ｖ字状で先端側に一対の弾性の挟持片を備えた挟持具であって、一方側挟持面が平面であり、他方側挟持面が前記平面に面対称に形成した対向平面の後端側を切り欠いた縮小平面であり、該一方側挟持面と該他方側挟持面とで被挟持物を挟持することを特徴とする挟持具。
２．前記他方側挟持面は、前記一方側挟持面に対して、先端方向の長さが１／３〜１／５である１．に記載の挟持具。
３．全体形状が略左右対称Ｖ字状で、先端側に一対の弾性の挟持片を備えた挟持具であって、一方側挟持面が平面であり、他方側挟持面が前記一方側挟持面に対向した面に突起を設け、該突起と該一方側挟持面とで被挟持物を挟持することを特徴とする挟持具。
４．前記突起は、挟持によりしなる方向に直交する線状の突起である３．に記載の挟持具。
５．前記一方側挟持面が対称面に対して右斜め又は左斜めに傾いでいる３．又は４．に記載の挟持具。
６．全体形状が略左右対称Ｖ字状で、先端側に一対の弾性の挟持片を備えた挟持具であって、一方側挟持面が対称面に対して湾曲凹面又は湾曲凸面を形成し、他方側挟持面が前記一方側挟持面に対向した面に突起を設け、該突起と該一方側挟持面とで被挟持物を挟持することを特徴とする挟持具。
７．前記挟持具が、毛抜き、とげ抜き又は魚の小骨抜きである１．乃至６．のうちのいずれか１項に記載の挟持具。
【発明の効果】
【０００８】
１．請求項１に記載の発明に係る挟持具は、一方側挟持面が平面であり、他方側挟持面が対向平面の後端側を切り欠いた縮小平面であるため、挟持片がしなっても、短小の被挟持物を確実に挟持することができる。
２．請求項２に記載の発明に係る挟持具は、請求項１に係る挟持具において、前記他方側挟持面は、前記一方側挟持面に対して、先端方向の長さが１／３〜１／５であるため、短小の被挟持物を更に確実に挟持することができる。
３．請求項３に記載の発明に係る挟持具は、一方側挟持面が平面であり、他方側挟持面が一方側挟持面に対向した面に突起を設けているため、突起と平面とで短小の被挟持物を確実に挟持することができる。
４．請求項４に記載の発明に係る挟持具は、請求項３に記載の挟持具において突起が、挟持によりしなる方向に直交する線状突起であるため、線状の突起と平面とで短小の被挟持物を確実に挟持することができる。
５．請求項５に記載の発明に係る挟持具は、請求項３又は４に記載の挟持具において、平面が対称面に対して右斜め又は左斜めに傾いでいる場合においても、線状突起と平面とで短小の被挟持物を確実に挟持することができる。
６．請求項６に記載の発明に係る挟持具は、一方側挟持面が対称面に対して湾曲凹面又は湾曲凸面を形成しているため、湾曲凹面又は湾曲凸面と突起とで被挟持物を確実に挟持することができる。
７．請求項６に記載の発明に係る挟持具は、請求項１乃至６のうちのいずれか１項に記載の挟持具が、毛抜き、とげ抜き又は魚の小骨抜きであるため、短小の被挟持物対しては、特に有効である。
【図面の簡単な説明】
【０００９】
【図１】本発明の実施例１に係る挟持具の模式的な斜視図である。
【図２】実施例１に係る挟持具の先端部分を示す正面図であり、（ａ）は挟持していない状態、（ｂ）は挟持片同士を軽く接触させた状態、（ｃ）挟持片同士を強く挟持してしなりにより尖端が開いた状態を示す。
【図３】実施例１に係る挟持具の先端部分を示す正面図であり、（ａ）挟持片同士を軽く挟持して接触面がずれた状態、（ｂ）挟持片同士をやや強く挟持して接触面がずれた状態をしめす。
【図４】（ａ）実施例２に係る挟持具の先端部分を示す正面図、（ｂ）実施例３に係る挟持具の先端部分を示す正面図、（ｃ）実施例４に係る挟持具の先端部分を示す正面図である。
【図５】（ａ）実施例５に係る挟持具の先端部分を示す正面図、（ｂ）実施例６に係る挟持具の先端部分を示す正面図、（ｃ）実施例７に係る挟持具の先端部分を示す正面図である。
【図６】実施例８に係る挟持具を用いて試験用の糸を挟持する状態を示す側面図である。
【図７】実施例８に係る挟持具を用いて挟持力を試験する様子を示す模式図である。
【図８】従来の挟持具の先端部分を示す正面図であり、（ａ）は挟持していない状態、（ｂ）は挟持片同士を軽く接触させた状態、（ｃ）挟持片同士を強く挟持してしなりにより尖端が開いた状態を示す。
【図９】従来の挟持具を用いて（ａ）挟持面からはみ出した長尺の糸を挟持した状態、（ｂ）挟持面と同一の長さの糸を挟持した状態、（ｃ）皮膚の短小の毛を挟持しようとした状態を示す正面図である。
【図１０】挟持面同士が小さい挟持具において、（ａ）軽く挟持しても挟持面がずれやすいことを示す正面図、（ｂ）強く挟持してしなりにより、挟持面がずれてしまう例を示す正面図である。
【図１１】実施品２に係り、挟持片同士を接触させる前の状態である。
【図１２】実施品２に係り、挟持片同士を軽く接触させた状態を示す。
【図１３】実施品２に係り、挟持片同士を強く挟持した状態を示す。
【図１４】実施品２に係り、糸を軽く挟持した状態を示す。
【図１５】実施品２に係り、糸を強く挟持した状態を示す。
【図１６】比較品２に係り、挟持片同士を接触させる前の状態である。
【図１７】比較品２に係り、挟持片同士を軽く接触させた状態を示す。
【図１８】比較品２に係り、挟持片同士を強く挟持した状態を示す。
【図１９】比較品２に係り、糸を軽く挟持した状態を示す。
【図２０】比較品２に係り、糸を強く挟持した状態を示す。
【図２１】実施品２に係り、挟持片同士を接触させる前の状態である。
【図２２】実施品２に係り、挟持片同士を軽く接触させた状態を示す。
【図２３】実施品２に係り、挟持片同士を強く挟持した状態を示す。
【図２４】実施品２に係り、糸を軽く挟持した状態を示す。
【図２５】実施品２に係り、糸を強く挟持した状態を示す。
【発明を実施するための形態】
【００１０】
以下、図面を参照しながら本発明を詳しく説明する。尚、本発明は、かかる図に記載された具体例に示すものに限られず、発明の技術的範囲内において、目的、用途に応じて種々変更したものとすることができる。
【００１１】
［実施例１］
実施例１に係る挟持具１は、図１、２に示すように、全体形状が略左右対称Ｖ字状で先端側に一対の弾性の挟持片１０、１１を備えている。
一方側挟持面１０ａが平面であり、他方側挟持面１１ａが前記平面に面対称に形成した対向平面の後端側を切り欠いた縮小平面である。すなわち、図２（ａ）に示すように、他方側挟持面１１ａは、一方側挟持面１０ａと面対称に形成した破線で示す対向平面を、上端１１ｈと下端１１ｋで切断する切欠き平面１１ｂで切り欠いて形成されている。
【００１２】
切り欠き寸法は、特に限定はないが、図２（ｂ）に示すように、他方側挟持面１１ａの先端方向の長さをｔ、一方側挟持面１０ａの先端方向の長さをｓとしたとき、ｔ／ｓ＝１／３〜１／５であることが好ましい。
こうすることで、図２（ｃ）に示すように、挟持片１０、１１を強く挟持した場合において、上端１１ｈが突起としての役割を果たすと共に、先端の開口Ａが小さくなる。このため、短小の被挟持物を挟持しやすくなる。
【００１３】
また、図３（ａ）に示すように、挟持に際して一方側挟持面１０ａ、他方側挟持面１１ａの先端同士がずれたとしても、一方側挟持面１０ａが広いため、他方側挟持面１１ａが、一方側挟持面１０ａから外れることはない。
更に、図３（ｂ）に示すように、強く挟持して、挟持片１０、１１がしなっても他方側挟持面１１ａが、一方側挟持面１０ａから外れることはない。
【００１４】
［実施例２］
実施例２に係る挟持具２は、全体形状が略左右対称Ｖ字状で、図４（ａ）に示すように、先端側に一対の弾性の挟持片１０、２０を備えている。
一方側挟持面１０ａが平面であり、他方側挟持面のしなる方向に直交する直方体状の突起２０ａが形成されている。突起の表面２０ｈと一方側挟持面１０ａとで、被挟持物を挟持することができる。突起２０ａは他方側挟持面の上部に形成されているため、短小の被挟持物であっても挟持することができる。
【００１５】
［実施例３］
実施例３に係る挟持具３は、全体形状が略左右対称Ｖ字状で、図４（ｂ）に示すように、先端側に一対の弾性の挟持片１０、３０を備えている。
一方側挟持面１０ａが平面であり、他方側挟持面の先端側が湾曲した凸状に形成されており、その湾曲部下端が、挟持片の３０のしなる方向に直交する線状の突起３０ｈとして形成されている。突起３０ｈと一方側挟持面１０ａとで、被挟持物を挟持することができる。突起３０ｈは他方側挟持面の上部に形成されているため、短小の被挟持物であっても挟持することができる。
【００１６】
［実施例４］
実施例４に係る挟持具３は、全体形状が略左右対称Ｖ字状で、図４（ｃ）に示すように、先端側に一対の弾性の挟持片１０、４０を備えている。
一方側挟持面１０ａが平面であり、他方側挟持面の先端付近に、一方側挟持面１０ａに対して山形に突出した、挟持片の４０のしなる方向に直交する線状の突起４０ｈが形成されている。突起４０ｈと一方側挟持面１０ａとで、被挟持物を挟持することができる。突起４０ｈは他方側挟持面の上部に形成されているため、短小の被挟持物であっても挟持することができる。
【００１７】
［実施例５］
実施例５に係る挟持具５は、全体形状が略左右対称Ｖ字状で、図５（ａ）に示すように、先端側に一対の弾性の挟持片１５、３０を備えている。
実施例３において、一方側挟持面１５ａが、対称面に対して左斜めに傾いでおり、突起３０ｈと一方側挟持面１５ａとで、被挟持物を挟持することができる。この場合も、実施例３と同様の作用効果を奏する。
【００１８】
［実施例６］
実施例６に係る挟持具６は、全体形状が略左右対称Ｖ字状で、図５（ｂ）に示すように、先端側に一対の弾性の挟持片１７、３０を備えている。
実施例３において、一方側挟持面１７ａが、対称面に対して右斜めに傾いでおり、突起３０ｈと一方側挟持面１７ａとで、被挟持物を挟持することができる。この場合においても、実施例３と同様の作用効果を奏する。
【００１９】
［実施例７］
実施例７に係る挟持具７は、全体形状が略左右対称Ｖ字状で、図５（ｃ）に示すように、先端側に一対の弾性の挟持片１９、３０を備えている。
実施例３において、一方側挟持面１９ａが対称面に対して湾曲凹面を形成している場合であり、一方側挟持面１９ａである湾曲凹面と突起３０ｈとで被挟持物を挟持する。この場合においても、実施例３と同様の作用効果を奏する。
また、湾曲凹面に代えて湾曲凸面であっても、湾曲凸面と突起３０ｈとで被挟持物を挟持することができ、この場合においても、実施例３と同様の作用効果を奏する。
【００２０】
（引っ張り試験）
［試験例１］
試験用の実施品１として、図６に示す挟持具８を用意した。
挟持具８は、全体形状が略左右対称Ｖ字状で先端側に一対の弾性の挟持片１０、２５を備えている。一方側挟持面１０ａが平面であり、他方側挟持面２５ａが前記平面に面対称に形成した対向平面の後端側を切り欠いた縮小平面である。
挟持具８は、商品名：毛抜き２（（株）セリア製）（一方側挟持面１０ａの幅方向の長さ：約２ｍｍ、先端方向の長さ：約０．９ｍｍ）を加工して実施品１とした
すなわち、先端側仮想平面の幅方向長さをｕ、他方側挟持面２５ａの長さをｔとした場合、ｔ：ｓ＝１：３となるように加工した。
比較品１に係る挟持具９として、上記実施品１の加工前の商品を用意した。
【００２１】
（１）試験方法
図７に示すように、台上に設置固定した秤９８のフック９８ａに樹脂製の糸９３を引っ掛け、その先端を図６に示すように、糸９３の先端が実施品１の挟持面１０ａの後端になるよう、糸９３の先端から約０．９ミリ（図６の長さｓ）を実施品１の挟持片で挟持した。糸９３としては、呉羽科学４号（直径０．３３０ミリ  フロロカーボン１００％）、秤９８としては、シンワ手ばかり２kg（品番７４４５３）を使用した。
そして、挟持具を引っ張り、品１から糸９３が外れた瞬間を目視にて計測
して、秤の目盛（ｇ）を挟持力とした。計測後、毎回挟持箇所を切断して、新しい糸を繰り出して試験を行った。
比較品１についても、同様に試験を行った。                  
（２）試験結果
【００２２】
【表１】
2017192458.tif 000003
表１に示すように、比較品１と比較して、実施品１は平均４４％挟持力が大きいことが判明した。
【００２３】
［試験例２］
試験例１と同様、比較品１、実施品１を用いて、引っ張り試験を行った。試験例１とは異なり、図６に示す糸９３の先端が、試験品１の後端よりも長くなるよう、糸９３の先端から１ｍｍ以上（図６の長さｓ以上）を試験品１の挟持片で挟持した。試験方法のその他の条件、器具については試験例１と同一とした。
（２）試験結果
【００２４】
【表２】
2017192458.tif 000004
表２に示すように、比較品１と比較して、実施品１は平均２１％挟持力が大きいことが判明した。
試験例１の方が、挟持力が大きいといえる。すなわち、本発明に係る挟持具は。短小の被挟持物に対して挟持力を発揮する効果が特に大きいことが実証された。
【００２５】
［試験例３］
試験例３については、挟持具は、商品名：松毛抜（エコー金属（株）製）（一方側挟持面１０ａの幅方向の長さ：約３ｍｍ、先端方向の長さ：約１ｍｍ）を試験品１と同様の加工をして実施品２とした。比較品２に係る挟持具９として、上記実施品２の加工前の商品を用意した。
試験例１、２と同様、比較品２、実施品２を用いて、引っ張り試験を行った。
試験例３においても、糸９３の先端が試験品２の後端になるよう、糸９３の先端から約１ミリ（図６の長さｓ）を試験品１の挟持片で挟持した。試験方法のその他の条件、器具については試験例１と同一とした。
（２）試験結果
【００２６】
【表３】
2017192458.tif 000005
表３に示すように、比較品２と比較して、実施品２は平均７２％挟持力が大きいことが判明した。
試験例３においても、本発明に係る挟持具は、短小の被挟持物に対して挟持力を発揮する効果が大きいことが実証された。
【００２７】
＜写真による作用効果の説明＞
試験例３に係る実施品２及び、比較品２について作用効果を写真により説明する。図１１〜図１５は実施品２の説明図であり、図１１は、挟持片同士を接触させる前の状態、図１２は挟持片同士を軽く接触させた状態、図１３は挟持片同士を強く挟持し、しなった状態である。図１３に示すように、挟持片同士を強く挟持しても挟持片の先端同士が接触し、先端は開いていない。そして、図１４は、糸を軽く挟持した状態、図１５は糸を強く挟持した状態を示す。このように短小の糸であっても先端で確実に挟持できることが分かる。
【００２８】
図１６〜図２０は比較品２の説明図であり、図１６は、挟持片同士を接触させる前の状態、図１７は挟持片同士を軽く接触させた状態、図１８は挟持片同士を強く挟持し、しなった状態である。図１８に示すように、挟持片同士を強く挟持すると、挟持片同士の先端部が開いてしまう。そして、図１９は、糸を軽く挟持した状態、図２０は糸を強く挟持した状態を示す。このように軽く挟持した状態において、挟持面全体で糸を挟持しても先端部がやや開き、強く挟持すると、先端部が大きく開くため、挟持力が弱くなることが分かる。
【００２９】
更に、他の実施品３について、作用効果を写真により説明する。実施品３は、商品名：松毛抜（エコー金属（株）製）（一方側挟持面１０ａの幅方向の長さ：約３ｍｍ、先端方向の長さ：約１ｍｍ）を実施品１と同様の加工をして実施品３とした。
図２１〜図２５は実施品３の説明図であり、図２１は、挟持片同士を接触させる前の状態、図２２は挟持片同士を軽く接触させた状態、図２３は挟持片同士を強く挟持し、しなった状態である。図２３に示すように、挟持片同士を強く挟持しても挟持片の先端同士が接触し、先端は開いていない。そして、図２４は、糸を軽く挟持した状態、図２５は糸を強く挟持した状態を示す。このように短小の糸であっても先端で確実に挟持できることが分かる。
【符号の説明】
【００３０】
１、２、３、４、５、６、７、８・・・挟持具
１０、１１、１５、１７、１９・・・・挟持片
１０ａ、１５ａ、１７ａ、１９ａ・・・一方側挟持面
１１ａ、２０ａ、２５ａ・・・・・・・他方側挟持面
１１ｈ、２０ｈ、３０ｈ・・・・・・・突起
９３・・・・・・・・・・・・・・・・被挟持物
【図１】
2017192458.tif 000006
【図２】
2017192458.tif 000007
【図３】
2017192458.tif 000008
【図４】
2017192458.tif 000009
【図５】
2017192458.tif 000010
【図６】
2017192458.tif 000011
【図７】
2017192458.tif 000012
【図８】
2017192458.tif 000013
【図９】
2017192458.tif 000014
【図１０】
2017192458.tif 000015
【図１１】
2017192458.tif 000016
【図１２】
2017192458.tif 000017
【図１３】
2017192458.tif 000018
【図１４】
2017192458.tif 000019
【図１５】
2017192458.tif 000020
【図１６】
2017192458.tif 000021
【図１７】
2017192458.tif 000022
【図１８】
2017192458.tif 000023
【図１９】
2017192458.tif 000024
【図２０】
2017192458.tif 000025
【図２１】
2017192458.tif 000026
【図２２】
2017192458.tif 000027
【図２３】
2017192458.tif 000028
【図２４】
2017192458.tif 000029
【図２５】
2017192458.tif 000030